(57)【要約】【課題】スムーズな音声切り替えを実現できる動画処理装置、音声再生装置、動画処理方法、及びプログラムを提供すること。【解決手段】本発明にかかる動画処理装置１００は、動画データ取得部１０１と、表示制御部１０２と、音声送信部１０３と、を備える。動画データ取得部１０１は、動画の映像信号及び音声信号を含む動画データを取得する。表示制御部１０２は、複数の動画データに含まれる複数の映像信号に基づいて、表示装置に複数の映像を表示させる。音声送信部１０３は、複数の動画データに含まれる複数の音声信号を音声再生装置に送信する。【選択図】図１
2015179953.tif 000002
【特許請求の範囲】
【請求項１】
動画の映像信号と、前記映像信号に対応する音声信号と、を含む動画データを取得する動画データ取得手段と、
複数の前記動画データにそれぞれ含まれる前記映像信号に基づいて、表示装置に複数の映像を表示させる表示制御手段と、
複数の前記映像信号にそれぞれ対応する前記音声信号を含む信号を音声再生装置に送信する音声送信手段と、
を備える動画処理装置。
【請求項２】
前記動画データ取得手段は、
複数の異なるテレビ放送波を取得する複数のチューナと、
前記テレビ放送波を分離して、前記映像信号と前記音声信号とを生成する複数の放送波分離手段と、を有する請求項１に記載の動画処理装置。
【請求項３】
前記音声送信手段は、複数の動画データに含まれる複数の前記音声信号を合成した前記信号を生成し、当該信号を前記音声再生装置に送信する請求項１または２に記載の動画処理装置。
【請求項４】
前記表示制御手段による複数の前記映像の表示を遅延させる第１の遅延処理手段をさらに備える請求項１〜３のいずれか一項に記載の動画処理装置。
【請求項５】
前記音声送信手段は、無線通信を介して、前記音声再生装置に前記信号を送信し、
前記第１の遅延処理手段は、前記動画処理装置と前記音声再生装置との間の通信遅延に基づいて、前記表示制御手段による複数の前記映像の表示を遅延させる請求項４に記載の動画処理装置。
【請求項６】
表示装置が表示する複数の動画の映像にそれぞれ対応する複数の音声信号を含む信号を受信する音声受信手段と、
受信した前記信号に含まれる複数の前記音声信号のうち、いずれか一つを選択する選択手段と、
選択された前記音声信号に基づく音声を出力する音声出力手段と、
を備える音声再生装置。
【請求項７】
複数の前記音声信号が合成された前記信号を複数の前記音声信号に分離する音声分離手段をさらに備え、
前記音声受信手段は、前記信号を受信し、
前記音声分離手段は、受信した前記信号を複数の前記音声信号に分離し、
前記選択手段は、分離された複数の前記音声信号のうち、いずれか一つを選択する請求項６に記載の音声再生装置。
【請求項８】
前記表示装置に表示された前記映像に応じてスピーカから出力される前記動画の音声を取得する音声取得手段と、
前記音声取得手段により取得された前記音声に対応する音声信号と、前記音声受信手段が受信した前記音声信号と、の遅延に基づいて、前記音声出力手段に前記音声を出力させるタイミングを遅延させる第２の遅延処理手段と、をさらに備える請求項６または７に記載の音声再生装置。
【請求項９】
動画の映像信号と、前記映像信号に対応する音声信号と、を含む動画データを取得するステップと、
複数の前記動画データにそれぞれ含まれる前記映像信号に基づいて、表示装置に複数の映像を表示させるステップと、
複数の前記映像信号にそれぞれ対応する前記音声信号を含む信号を音声再生装置に送信するステップと、
を備える動画処理方法。
【請求項１０】
動画の映像信号と、前記映像信号に対応する音声信号と、を含む動画データを取得するステップと、
複数の前記動画データにそれぞれ含まれる前記映像信号に基づいて、表示装置に複数の映像を表示させるステップと、
複数の前記映像信号にそれぞれ対応する前記音声信号を含む信号を音声再生装置に送信するステップと、
をコンピュータに実行させるプログラム。
【発明の詳細な説明】
【技術分野】
【０００１】
本発明は動画処理装置、音声出力装置、動画処理方法、及びプログラムに関する。
【背景技術】
【０００２】
近年、１つのテレビ画面に複数の異なる番組の映像を表示可能なテレビが普及している。このようなテレビは、複数の番組のうち、いずれか一つの番組の音声を出力している。例えば、図１１に示したテレビは、テレビ画面を分割し、番組Ａと番組Ｂとを表示するが、番組Ａのみの音声を出力している。つまり、番組Ｂについては、テレビは、映像のみを表示し、音声を出力しない。
【０００３】
一方、特許文献１には、複数の番組を表示するテレビにおいて、テレビから出力されている音声とは異なる音声を、テレビとペアリングされたヘッドフォンに送信するテレビ放送視聴システムが開示されている。また、当該テレビ放送視聴システムは、ヘッドフォンが２つ以上ある場合、送信先を示すＩＤを用いて各ヘッドフォンを特定して、各ヘッドフォンが選択した音声を送信する。
【先行技術文献】
【特許文献】
【０００４】
【特許文献１】特開２００８−１６７１８７号公報
【発明の概要】
【発明が解決しようとする課題】
【０００５】
しかしながら、特許文献１に記載の技術においては、ヘッドフォンが選択する音声を変更する毎に、テレビは、その変更を検出し、変更後の音声をヘッドフォンに送信する必要がある。つまり、ヘッドフォンが選択する音声が変わると、ヘッドフォンからテレビへと変更の通知が行われ、ヘッドフォンに送信する音声の変更処理がテレビ内部で行われ、テレビからヘッドフォンに変更後の音声が送信される。そのため、通信遅延やテレビ内での処理遅延等の影響で、音声切り替え直後の音声をヘッドフォンが取得できない。その結果、切り替え直後の音声が途切れてしまい、ユーザに違和感を与えてしまうという問題があった。
【０００６】
本発明はこのような問題を解決するためになされたものであり、スムーズな音声切り替えを実現できる動画処理装置、音声再生装置、動画処理方法、及びプログラムを提供することを目的としている。
【課題を解決するための手段】
【０００７】
本発明の一態様にかかる動画処理装置は動画の映像信号と、前記映像信号に対応する音声信号と、を含む動画データを取得する動画データ取得手段と、複数の前記動画データにそれぞれ含まれる前記映像信号に基づいて、表示装置に複数の映像を表示させる表示制御手段と、複数の前記映像信号にそれぞれ対応する前記音声信号を含む信号を音声再生装置に送信する音声送信手段と、を備えるものである。
【０００８】
本発明の一態様にかかる音声再生装置は、表示装置が表示する複数の動画の映像にそれぞれ対応する複数の音声信号を含む信号を受信する音声受信手段と、受信した前記信号に含まれる複数の前記音声信号のうち、いずれか一つを選択する選択手段と、選択された前記音声信号に基づく音声を出力する音声出力手段と、を備えるものである。
【０００９】
本発明の一態様にかかる動画処理方法は、動画の映像信号と、前記映像信号に対応する音声信号と、を含む動画データを取得するステップと、複数の前記動画データにそれぞれ含まれる前記映像信号に基づいて、表示装置に複数の映像を表示させるステップと、複数の前記映像信号にそれぞれ対応する前記音声信号を含む信号を音声再生装置に送信するステップと、を備えるものである。
【００１０】
本発明の一態様にかかるプログラムは、動画の映像信号と、前記映像信号に対応する音声信号と、を含む動画データを取得するステップと、複数の前記動画データにそれぞれ含まれる前記映像信号に基づいて、表示装置に複数の映像を表示させるステップと、複数の前記映像信号にそれぞれ対応する前記音声信号を含む信号を音声再生装置に送信するステップと、をコンピュータに実行させるものである。
【発明の効果】
【００１１】
本発明により、スムーズな音声切り替えを実現できる動画処理装置、音声再生装置、動画処理方法、及びプログラムを提供することができる。
【図面の簡単な説明】
【００１２】
【図１】実施の形態１にかかる動画視聴システムのブロック図である。
【図２】実施の形態２にかかる動画視聴システムのブロック図である。
【図３】実施の形態２にかかるテレビ受像機のブロック図である。
【図４】実施の形態２にかかるデジタルデバイスのブロック図である。
【図５】実施の形態２にかかるテレビ受像機の動作を示すフローチャートである。
【図６】実施の形態２にかかるデジタルデバイスの動作を示すフローチャートである。
【図７】実施の形態２の変形例にかかるデジタルデバイスのブロック図である。
【図８】実施の形態３にかかるテレビ受像機のブロック図である。
【図９】実施の形態３にかかるデジタルデバイスのブロック図である。
【図１０】実施の形態３にかかる動画視聴システムの動作を説明するためのタイミングチャートである。
【図１１】関連するテレビの構成を示す図である。
【発明を実施するための形態】
【００１３】
＜実施の形態１＞
以下、図面を参照して本発明の実施の形態１について説明する。図１は、本実施の形態にかかる動画視聴システム１の構成を示す図である。図１に示すように、動画視聴システム１は、動画処理装置１００及び音声再生装置２００を備える。動画処理装置１００と音声再生装置２００とは、有線通信または無線通信を用いて通信する。
【００１４】
＜動画処理装置１００の構成＞
動画処理装置１００の構成について説明する。動画処理装置１００は、動画データ取得部１０１と、表示制御部１０２と、音声送信部１０３と、を備える。動画処理装置１００は、図示しない表示装置（テレビモニタ等）に接続される機器であり、例えば、ＳＴＢ（Set Top Box）や、レコーダ、ルータ、ホームゲートウェイ等である。
【００１５】
動画データ取得部１０１は、複数の動画データを取得する。動画データとは、動画の映像を表示するための映像信号と、動画の音声を出力するための音声信号と、を含むデータである。動画データは、例えば、図示しないテレビアンテナで受信されるデジタルテレビ番組のデータや、レコーダに記録された録画番組のデータ、図示しないＤＶＤプレーヤーにより再生されるＤＶＤに記録された映画のデータ等である。
【００１６】
表示制御部１０２は、複数の動画データにそれぞれ含まれる映像信号に基づいて、図示しない表示装置に動画の映像を表示させる。つまり、表示制御部１０２は、複数の映像信号を用いて、表示装置に複数の動画の映像を同時に表示させる。
【００１７】
音声送信部１０３は、複数の映像信号にそれぞれ対応する音声信号を含む信号を、音声再生装置２００に送信する。なお、このとき送信される音声信号は、表示装置に表示されている動画の映像に対応するものである。つまり、音声送信部１０３は、表示装置に表示中の複数の動画の音声を出力するための音声信号を送信する。音声送信部１０３は、有線ケーブルや無線ＬＡＮ（Local Area Network）を介して、音声再生装置２００に複数の音声信号を送信する。
【００１８】
＜音声再生装置２００の構成＞
次に、音声再生装置２００の構成について説明する。音声再生装置２００は、音声受信部２０１と、選択部２０２と、音声出力部２０３と、を備える。音声再生装置２００は、例えば、携帯電話機、スマートフォン、ＰＣ（Personal Computer）、タブレット端末、及び携帯音楽プレーヤー等の通信機能を有する端末である。さらに、通信機能を有していれば、音声再生装置２００は、ヘッドフォンやイヤフォンであってもよい。
【００１９】
音声受信部２０１は、動画処理装置１００の音声送信部１０３から送信される複数の音声信号を受信する。このとき音声受信部２０１が受信する音声信号は、表示装置が表示する複数の動画の映像に対応する音声信号である。
【００２０】
選択部２０２は、音声受信部２０１が受信した複数の音声信号のうち、いずれか一つを選択する。なお、選択部２０２が選択する音声信号は、予め決められていてもよいし、ユーザの操作に応じて決定されてもよい。
【００２１】
音声出力部２０３は、選択部２０２により選択された一つの音声信号に基づく音声を出力する。これにより、音声再生装置２００は、選択された音声を再生する。
【００２２】
以上のように、本実施の形態にかかる動画視聴システム１の構成によれば、動画処理装置１００において、表示制御部１０２が、複数の動画の映像を表示装置に表示させる。また、音声送信部１０３が、表示装置に表示中の複数の動画の音声を音声再生装置２００に送信する。音声再生装置２００では、音声受信部２０１が、複数の音声信号を受信する。つまり、音声再生装置２００は、表示装置に表示中の動画に対応する音声信号の全てを受信している。そして、選択部２０２が、受信した複数の音声信号のうち、いずれか一つを選択し、音声出力部２０３が、選択された音声信号に基づく音声を出力する。このため、音声出力部２０３が出力する音声を切り替える場合、選択部２０２が選択する音声信号を変更するだけでよい。つまり、音声出力部２０３が出力する音声を変更するために、動画処理装置１００と音声再生装置２００との間で通信を行ったり、動画処理装置１００内部で別途切り替え処理を行ったりする必要がない。そのため、音声再生装置２００は、遅延なく選択後の音声を出力できる。その結果、動画視聴システム１は、スムーズな音声切り替えを実現することができる。
【００２３】
＜実施の形態２＞
本発明にかかる実施の形態２について説明する。本実施の形態にかかる動画視聴システム２のブロック図を図２に示す。動画視聴システム２は、テレビアンテナ２０と、テレビ受像機３０と、テレビモニタ４０と、無線ＬＡＮルータ５０と、デジタルデバイス６０Ａ、６０Ｂと、を備える。動画視聴システム２は、図２に示すように、家庭内に設けられるシステムである。
【００２４】
テレビアンテナ２０は、家庭外の電波塔１０から送信される地上デジタル放送の放送波を受信する。なお、電波塔１０及びテレビアンテナ２０は、既存の電波塔及びテレビアンテナの構成と同様であるため、詳細な説明は省略する。
【００２５】
テレビ受像機３０は、テレビアンテナ２０及びテレビモニタ４０と有線で接続される。また、テレビ受像機３０は、無線ＬＡＮルータ５０に無線または有線で接続される。テレビ受像機３０は、テレビアンテナ２０が受信した放送波を取得する。そして、テレビ受像機３０は、複数の放送波に含まれる複数の映像信号をテレビモニタ４０に送信する。また、テレビ受像機３０は、複数の放送波に含まれる複数の音声信号を無線ＬＡＮルータ５０に送信する。なお、図２に示した構成においては、テレビ受像機３０とテレビモニタ４０とを別の機器として記載しているが、テレビ受像機３０とテレビモニタ４０とが１つの機器に内蔵されていてもよい。テレビ受像機３０の詳細な構成については後述する。
【００２６】
テレビモニタ４０は、表示装置であって、テレビ受像機３０から受信した複数の映像信号に基づいて、複数の地上デジタル放送番組の映像を同時に表示する。図２に示す例においては、テレビモニタ４０は、表示画面を左右に分割し、向かって左側に番組Ａの映像を表示し、向かって右側に番組Ａとは異なる番組Ｂの映像を表示している。なお、図２に示した例においては、テレビモニタ４０の表示画面を左右に分割して２つの番組Ａ、Ｂを表示しているが、これに限られるものではない。例えば、表示画面を上下に分割してもよいし、一方の番組を表示画面全体に表示し、他方の番組がその中に含まれるように表示してもよい。また、同時に表示する映像の数は２つに限られず、３つ以上の番組を表示してもよい。
【００２７】
無線ＬＡＮルータ５０は、無線ＬＡＮ内に存在するテレビ受像機３０と、デジタルデバイス６０Ａ、６０Ｂと、を中継する。具体的には、無線ＬＡＮルータ５０は、テレビ受像機３０から送信された複数の音声信号を受信し、受信した複数の音声信号をデジタルデバイス６０Ａ、６０Ｂに送信する。図２に示した例においては、無線ＬＡＮルータ５０は、番組Ａの音声信号及び番組Ｂの音声信号をテレビ受像機３０から受信する。そして、無線ＬＡＮルータ５０は、番組Ａの音声信号及び番組Ｂの音声信号を、デジタルデバイス６０Ａ、６０Ｂのそれぞれに送信する。つまり、無線ＬＡＮルータ５０からデジタルデバイス６０Ａ、６０Ｂに送信される音声信号は、同一の音声信号である。
【００２８】
デジタルデバイス６０Ａ、６０Ｂは、視聴者Ａ、Ｂが携帯する端末である。デジタルデバイス６０Ａ、６０Ｂは、受信した複数の音声信号のいずれか一つに基づく音声を出力する。図２に示した例においては、デジタルデバイス６０Ａは、番組Ａの音声を出力し、デジタルデバイス６０Ｂは、番組Ｂの音声を出力している。これにより、視聴者Ａは、番組Ａの音声のみを聴くことができ、視聴者Ｂは、番組Ｂの音声のみを聴くことができる。なお、デジタルデバイス６０Ａ、６０Ｂの詳細な構成については後述する。
【００２９】
＜テレビ受像機３０の構成＞
次に、テレビ受像機３０の詳細な構成について説明する。テレビ受像機３０のブロック図を図３に示す。テレビ受像機３０は、ＲＦ（Radio Frequency）フロントエンド３０１Ａ、３０１Ｂと、ＯＦＤＭ（Orthogonal Frequency Division Multiplexing）復調部３０２Ａ、３０２Ｂと、分離部３０３Ａ、３０３Ｂと、映像デコード処理部３０４Ａ、３０４Ｂと、音声デコード処理部３０５Ａ、３０５Ｂと、プロトコル変換部３０６Ａ、３０６Ｂと、映像合成処理部３０７と、音声合成処理部３０８、有線ＬＡＮコネクタ３０９と、無線ＬＡＮモジュール３１０と、表示制御部３１１と、音声制御部３１２と、を備える。
【００３０】
テレビ受像機３０において、ＲＦフロントエンド３０１Ａ、ＯＦＤＭ復調部３０２Ａ、分離部３０３Ａ、映像デコード処理部３０４Ａ、音声デコード処理部３０５Ａ、及び、プロトコル変換部３０６Ａが、番組Ａを処理する部分である。一方、ＲＦフロントエンド３０１Ｂ、ＯＦＤＭ復調部３０２Ｂ、分離部３０３Ｂ、映像デコード処理部３０４Ｂ、音声デコード処理部３０５Ｂ、及び、プロトコル変換部３０６Ｂが、番組Ｂを処理する部分である。つまり、テレビ受像機３０は、２つの番組を同時に表示することができるダブルチューナーを搭載している。なお、以下の各ブロックの説明においては、番組Ａを処理するブロックのみを説明するが、番組Ｂを処理するブロックも同様の構成である。
【００３１】
ＲＦフロントエンド３０１Ａは、ＲＦアンプやＲＦフィルタ等を有する。ＲＦフロントエンド３０１Ａは、テレビアンテナ２０が受信した放送波を取得し、増幅し、中間周波数（ＩＦ）信号に変換する。
【００３２】
ＯＦＤＭ復調部３０２Ａは、ＲＦフロントエンド３０１Ａから送られてくる信号に対して、直交周波数分割多重方式のデジタル復調を行う。つまり、ＲＦフロントエンド３０１Ａ及びＯＦＤＭ復調部３０２Ａが、チューナとして機能する。
【００３３】
分離部３０３Ａ（放送波分離手段）は、ＯＦＤＭ復調部３０２Ａから出力された復調後のデジタルデータ（動画データ）を、映像信号Ａ、音声信号Ａ、及び、データ信号Ａに分離する。
【００３４】
映像デコード処理部３０４Ａは、分離部３０３Ａから出力される映像信号Ａをデコードする。音声デコード処理部３０５Ａは、分離部３０３Ａから出力される音声信号Ａをデコードする。なお、映像信号や音声信号のデコードは、既存の技術を用いることができるため、詳細な説明は省略する。
【００３５】
プロトコル変換部３０６Ａは、音声デコード処理部３０５Ａから出力されたデコード処理後の音声信号をＩＰ化（パケット化）し、ＴＣＰ／ＩＰ（Transmission Control Protocol (TCP) / Internet Protocol (IP)）プロトコルに変換する。
【００３６】
映像合成処理部３０７は、映像デコード処理部３０４Ａ、３０４Ｂからデコード後の映像信号Ａ、Ｂを取得する。映像合成処理部３０７は、取得した映像信号Ａ、Ｂを１画面に表示可能となるように合成した映像信号を生成する。
【００３７】
音声合成処理部３０８は、プロトコル変換部３０６Ａ、３０６ＢからＩＰデータに変換後の音声信号を取得する。音声合成処理部３０８は、取得した音声信号を合わせた混合音声信号を生成する。具体的には、音声合成処理部３０８は、ＩＰデータ化された番組Ａの音声信号と、ＩＰデータ化された番組Ｂの音声信号と、を統合する。このとき、混合音声信号とは、複数の映像信号にそれぞれ対応する音声信号を含む信号であり、パケット単位で各音声信号を混ぜた信号であってもよいし、各パケットの中に複数の音声信号が混在している信号であってもよい。つまり、混合音声信号の合成方法は、特に限定されるものではない。
【００３８】
有線ＬＡＮコネクタ３０９（音声送信手段）は、ＬＡＮケーブルの接続部である。無線ＬＡＮモジュール３１０（音声送信手段）は、無線ＬＡＮに接続するための通信モジュールである。テレビ受像機３０は、ＬＡＮケーブルまたは無線ＬＡＮを介して、無線ＬＡＮルータ５０に接続される。
【００３９】
表示制御部３１１は、映像合成処理部３０７により生成された合成後の映像信号に基づいて、テレビモニタ４０に２つの番組を同時に表示させる。
【００４０】
音声制御部３１２は、音声デコード処理部３０５Ａから番組Ａの音声信号を取得する。また、音声制御部３１２は、音声デコード処理部３０５Ｂから番組Ｂの音声信号を取得する。そして、音声制御部３１２は、取得した複数の音声信号のうち、いずれか一つの音声信号に基づいて、テレビモニタ４０に搭載されたスピーカから、音声を出力する。なお、音声制御部３１２が出力する音声は、ユーザが選択してもよいし、予め決定されていてもよい。
【００４１】
＜デジタルデバイス６０Ａの構成＞
次に、デジタルデバイス６０Ａの詳細な構成について説明する。デジタルデバイス６０Ａのブロック図を図４に示す。デジタルデバイス６０Ａは、無線ＬＡＮモジュール６０１Ａと、プロトコル変換部６０２Ａと、分離部６０３Ａと、選択部６０４Ａと、Ｄ／Ａ変換部６０５Ａと、パワーアンプ６０６Ａと、スピーカ６０７Ａと、ヘッドフォンアンプ６０８Ａと、ヘッドフォン端子６０９Ａと、を備える。なお、デジタルデバイス６０Ｂもデジタルデバイス６０Ａと同様の構成であるため、詳細な説明を省略する。
【００４２】
無線ＬＡＮモジュール６０１Ａ（音声受信手段）は、無線ＬＡＮルータ５０が構築した無線ＬＡＮに接続するための通信モジュールである。無線ＬＡＮモジュール６０１Ａは、無線ＬＡＮルータ５０を介してテレビ受像機３０から送信される音声信号を受信する。
【００４３】
プロトコル変換部６０２Ａは、ＴＣＰ／ＩＰプロトコルのＩＰデータを、再生可能な音声データに変換する。つまり、プロトコル変換部６０２Ａは、受信した音声信号を、テレビ受像機３０の音声デコード処理部３０５Ａのデコード処理後の状態に変換する。
【００４４】
分離部６０３Ａ（音声分離手段）は、複数の音声信号が合わさった混合音声信号を、それぞれの音声信号に分離する。図４に示した例においては、分離部６０３Ａは、混合音声信号を、番組Ａの音声信号と、番組Ｂの音声信号と、に分離する。
【００４５】
選択部６０４Ａは、分離部６０３Ａにより分離された複数の音声信号のうち、いずれか一つの音声信号を選択する。選択部６０４Ａは、例えば、ユーザの操作に応じた音声信号等を選択する。
【００４６】
Ｄ／Ａ（Digital to Analog）部６０５Ａは、選択部６０４Ａにより選択されたデジタルデータの音声信号を、アナログデータに変換する。
【００４７】
パワーアンプ６０６Ａは、アナログデータの音声信号をスピーカ６０７Ａから出力させるために、音声信号のレベルを増幅する。ヘッドフォンアンプ６０８Ａは、アナログデータの音声信号をヘッドフォンから出力するために、音声信号のレベルを増幅する。
【００４８】
スピーカ６０７Ａは、デジタルデバイス６０Ａの外部に音声信号に基づく音声を出力する。ヘッドフォン端子６０９Ａは、図示しないヘッドフォンのジャックを接続するための端子である。
【００４９】
＜テレビ受像機３０の動作＞
続いて、本実施の形態にかかるテレビ受像機３０の動作例について、図５に示すフローチャートを参照して説明する。まず、ＲＦフロントエンド３０１Ａは、テレビアンテナ２０が受信した放送波に含まれる番組Ａ、Ｂの放送波を受信する（ステップＳ１０１）。
【００５０】
次に、ＲＦフロントエンド３０１Ａ及びＯＦＤＭ復調部３０２Ａが、放送波の増幅や復調を行う（ステップＳ１０２）。そして、ＯＦＤＭ復調部３０２Ａは、復調後のデータを分離部３０３Ａに出力する。これにより、分離部３０３Ａは、放送波により搬送された地上デジタル放送の番組Ａのデジタルデータ（動画データ）を取得する。
【００５１】
分離部３０３Ａは、番組Ａのデジタルデータを、映像信号Ａ、音声信号Ａ、及びデータ信号Ａに分離する（ステップＳ１０３）。分離部３０３Ａは、映像信号Ａを映像デコード処理部３０４Ａに出力する。分離部３０３Ａは、音声信号Ａを音声デコード処理部３０５Ａに出力する。分離部３０３Ａは、データ信号Ａを映像合成処理部３０７に出力する。
【００５２】
ステップＳ１０４〜Ｓ１０６において映像処理が行われる。映像デコード処理部３０４Ａは、取得した映像信号Ａをデコードし、映像合成処理部３０７に出力する（ステップＳ１０４）。映像デコード処理部３０４Ｂも同様に、取得した映像信号Ｂをデコードし、映像合成処理部３０７に出力する。
【００５３】
映像合成処理部３０７は、映像デコード処理部３０４Ａから取得した番組Ａの映像信号Ａと、映像デコード処理部３０４Ｂから取得した番組Ｂの映像信号Ｂと、を合成し、番組Ａ及び番組Ｂを一画面に表示可能な映像信号を生成する（ステップＳ１０５）。なお、映像合成処理部３０７は、データ信号Ａ、Ｂも取得した場合、合成した映像に、データ信号Ａ、Ｂに基づく画像を重畳させる。そして、表示制御部３１１は、合成した映像信号に基づく映像を、テレビモニタ４０に表示させる（ステップＳ１０６）。つまり、テレビモニタ４０は、２つの映像を一画面に分割表示する。
【００５４】
ステップＳ１０７〜Ｓ１１０において音声処理が行われる。音声デコード処理部３０５Ａは、取得した音声信号Ａをデコードし、プロトコル変換部３０６Ａ及び音声制御部３１２に出力する（ステップＳ１０７）。
【００５５】
プロトコル変換部３０６Ａは、デコード処理後の音声信号をＴＣＰ／ＩＰプロトコルに変換する（ステップＳ１０８）。そして、プロトコル変換部３０６Ａは、プロトコル変換後の音声信号（パケット）を音声合成処理部３０８に出力する。
【００５６】
音声合成処理部３０８は、プロトコル変換部３０６Ａから取得した番組Ａの音声信号と、プロトコル変換部３０６Ｂから取得した番組Ｂの音声信号と、を合成して、混合音声信号を生成する（ステップＳ１０９）。
【００５７】
そして、テレビ受像機３０は、有線ＬＡＮコネクタ３０９または無線ＬＡＮモジュール３１０を介して、混合音声信号を無線ＬＡＮルータ５０に送信する（ステップＳ１１０）。
【００５８】
なお、音声制御部３１２は、音声デコード処理部３０５Ａ、３０５Ｂから取得した音声信号Ａ、Ｂのうち、いずれか一方をテレビモニタ４０のスピーカから出力させてもよい。
【００５９】
＜デジタルデバイス６０Ａの動作＞
続いて、本実施の形態にかかるデジタルデバイス６０Ａの動作例について、図６に示すフローチャートを参照して説明する。まず、無線ＬＡＮモジュール６０１Ａが、無線ＬＡＮルータ５０を介して、テレビ受像機３０からＴＣＰ／ＩＰプロトコルでバケット化された混合音声信号を受信する（ステップＳ２０１）。
【００６０】
次に、プロトコル変換部６０２Ａが、受信した混合音声信号のプロトコルを変換する。これにより、ＩＰ化された混合音声信号が、デコード処理後の状態（デジタルデータ）に戻る（ステップＳ２０２）。プロトコル変換部６０２Ａは、変換後の混合音声信号を分離部６０３Ａに出力する。
【００６１】
分離部６０３Ａは、取得した混合音声信号を、当該混合音声信号に含まれる複数の番組の音声信号に分離する（ステップＳ２０３）。具体的には、分離部６０３Ａは、混合音声信号を、番組Ａの音声信号と、番組Ｂの音声信号と、に分離する。
【００６２】
次に、選択部６０４Ａは、ユーザの操作に応じて、分離された複数の音声信号のうちから、一つの音声信号を選択する（ステップＳ２０４）。選択部６０４Ａによって選択された音声信号は、Ｄ／Ａ変換部６０５Ａに送られる。一方、選択部６０４Ａによって選択されなかった音声信号は、破棄される。
【００６３】
次に、Ｄ／Ａ変換部６０５Ａは、選択されたデジタルデータの音声信号をアナログデータに変換する（ステップＳ２０５）。Ｄ／Ａ変換部６０５Ａは、アナログデータをパワーアンプ６０６Ａ及びヘッドフォンアンプ６０８Ａに出力する。
【００６４】
パワーアンプ６０６Ａは、アナログデータの音声信号を増幅し、スピーカ６０７Ａに出力する。スピーカ６０７Ａは、音声信号に基づく音声を出力する（ステップＳ２０６）。これにより、選択部６０４Ａにより選択された音声が出力される。
【００６５】
一方、ヘッドフォンアンプ６０８Ａは、アナログデータの音声信号を増幅し、ヘッドフォン端子６０９Ａに出力する。そして、ヘッドフォン端子６０９Ａにヘッドフォンが接続されている場合、ヘッドフォンは、音声信号に基づく音声を出力する。
【００６６】
以上のように、本実施の形態にかかる動画視聴システム２の構成によれば、テレビ受像機３０が、ＲＦフロントエンド３０１Ａ、３０１Ｂを用いて、複数の番組の放送波を受信する。そして、音声合成処理部３０８が、分離部３０３Ａ、３０３Ｂにより分離された各番組の音声信号を混合し、無線ＬＡＮルータ５０に送信する。デジタルデバイス６０Ａの分離部６０３Ａは、受信した混合音声信号を各番組の音声信号に分離する。そして、選択部６０４が、複数の番組の音声信号のうち、１つの音声信号を選択する。選択された音声信号に基づく音声は、デジタルデバイス６０Ａから出力される。これにより、ユーザは、デジタルデバイス６０Ａを用いて、テレビモニタ４０に表示されている複数の番組の映像のいずれかに対応する音声を聴くことができる。
【００６７】
また、テレビ受像機３０は、テレビモニタ４０に表示させた複数の番組の映像に対応する音声信号の全てを、デジタルデバイス６０Ａ、６０Ｂに送信する。そして、デジタルデバイス６０Ａ、６０Ｂは、ユーザが視聴したい番組の音声信号のみを選択し、出力する。したがって、ユーザが視聴したい番組を変更した場合には、選択部６０４Ａ、６０４Ｂが選択する音声信号を変更するだけでよく、テレビ受像機３０とデジタルデバイス６０Ａ、６０Ｂとの間で通信を行う必要がない。その結果、動画視聴システム２は、デジタルデバイス６０Ａ、６０Ｂから出力させる音声を切り替える際に、スムーズな切り替えを実現することができる。
【００６８】
＜変形例＞
本実施の形態にかかる変形例について説明する。変形例にかかるデジタルデバイス６０のブロック図を図７に示す。変形例にかかるデジタルデバイス６０は、図４に示した構成に加えて、同時通訳部６１０を有する。なお、その他の構成については図４に示した構成と同様であるので、説明を適宜省略する。
【００６９】
同時通訳部６１０は、Ｄ／Ａ変換部６０５からアナログデータの音声信号を取得する。同時通訳部６１０は、取得した音声信号の意味内容を認識し、翻訳を行う。例えば、図７に示すように、同時通訳部６１０は、Ｄ／Ａ変換部６０５から取得した番組Ａの日本語の音声信号を、英語の音声信号に変換し、パワーアンプ６０６及びヘッドフォンアンプ６０８に出力する。これにより、デジタルデバイス６０は、日本語の番組Ａの音声が英語に変換された音声を出力する。
【００７０】
以上のように、変形例にかかるデジタルデバイス６０の構成によれば、同時通訳部６１０が番組Ａの音声の言語を他の言語に翻訳する、このため、番組Ａを他の言語の音声で聞くことができる。その結果、ユーザが理解できない言語の番組であっても、番組の音声をユーザの母国語等に翻訳することにより、番組の内容を理解することができる。
【００７１】
＜実施の形態３＞
本発明にかかる実施の形態３について説明する。本実施の形態にかかるテレビ受像機３０のブロック図を図８に示す。また、本実施の形態にかかるデジタルデバイス６０のブロック図を図９に示す。
【００７２】
本実施の形態にかかるテレビ受像機３０は、図３に示した構成に加えて、遅延処理部３１３を備える。遅延処理部３１３（第１の遅延処理手段）は、映像合成処理部３０７及び音声デコード処理部３０５Ａ、３０５Ｂに接続される。遅延処理部３１３は、映像合成処理部３０７から出力された映像信号を遅延させる。また、遅延処理部３１３は、音声デコード処理部３０５Ａ、３０５Ｂから出力された音声信号を映像信号と同じ時間だけ遅延させる。遅延処理部３１３は、遅延させた映像信号を表示制御部３１１に出力し、遅延させた音声信号を音声制御部３１２に出力する。
【００７３】
本実施の形態にかかるデジタルデバイス６０は、図４に示した構成に加えて、マイク６１１及び遅延処理部６１２を備える。マイク６１１（音声取得手段）は、デジタルデバイス６０の周囲の音声を取得する。具体的には、マイク６１１は、テレビモニタ４０から出力される音声を取得する。マイク６１１は、取得した音声を遅延処理部６１２に出力する。
【００７４】
遅延処理部６１２（第２の遅延処理手段）は、Ｄ／Ａ変換部６０５に接続される。遅延処理部６１２は、マイク６１１が取得した音声に基づいて、Ｄ／Ａ変換部６０５から取得した音声信号を遅延させる。そして、遅延処理部６１２は、遅延させた音声信号をパワーアンプ６０６及びヘッドフォンアンプ６０８に出力する。このように、本実施の形態にかかる動画視聴システムは、映像や音声を遅延させることにより、テレビモニタ４０に表示される映像と、デジタルデバイス６０から出力される音声と、の同期をとる処理を行う。
【００７５】
続いて、本実施の形態にかかるテレビ受像機３０の動作について図１０のタイミングチャートを参照して説明する。図１０の上側は、テレビ受像機３０及びデジタルデバイス６０が遅延処理部３１３及び遅延処理部６１２を有さない場合のタイミングチャートである。図１０の下側は、テレビ受像機３０及びデジタルデバイス６０が遅延処理部３１３及び遅延処理部６１２を有する場合のタイミングチャートである。なお、図１０において、各フレームの時間は、番組または動画の開始からの経過時間である。
【００７６】
はじめに、遅延処理部３１３及び遅延処理部６１２が無い構成、つまり、同期をとらない動作について説明する。まず、時刻ｔ０において、テレビ受像機３０が地上デジタル放送波を受信する。つまり、テレビ受像機３０は、時刻ｔ０において、例えば番組Ａの０秒目の放送波を受信する。
【００７７】
その後、テレビ受像機３０は、放送波の復調処理や、映像デコード処理、及び音声デコード処理等を行う。これらの処理により遅延が発生し、時刻ｔ１において、テレビ受像機３０は、テレビモニタ４０に映像を表示させると共に、当該映像に対応する音声をテレビモニタ４０のスピーカに出力させる。つまり、時刻ｔ１において、番組等の０秒目の映像表示及び音声出力が行われる。
【００７８】
また、テレビ受像機３０は、無線ＬＡＮを介して、混合音声信号をデジタルデバイス６０に送信する。そして、デジタルデバイス６０は、混合音声信号を分離し、選択部６０４により選択された音声信号に基づく音声を出力する。これらの通信処理及び出力処理により遅延が発生し、時刻ｔ２において、デジタルデバイス６０は、番組等の０秒目の音声を出力する。
【００７９】
このように、遅延処理部３１３及び遅延処理部６１２が無い場合、テレビモニタ４０に映像が表示するタイミング（時刻ｔ１）よりも遅れたタイミング（時刻ｔ２）において、デジタルデバイス６０が、当該映像に対応する音声を出力する。このため、ユーザにとっては、デジタルデバイス６０から出力される番組の音声が、番組の映像よりも遅れて聞こえる。
【００８０】
これに対して、遅延処理部３１３及び遅延処理部６１２を備える構成、つまり、同期をとる動作について説明する。まず、同期を取らない場合と同様に、テレビ受像機３０は、時刻ｔ０において、番組Ａの０秒目の放送波を受信する。
【００８１】
その後、放送波の復調処理や、映像デコード処理、及び音声デコード処理等が行われ、デコード処理後の映像信号及び音声信号が生成されるが、テレビ受像機３０は、映像表示及び音声出力をすぐに行わない。つまり、遅延処理部３１３が、デコード後の映像信号の表示処理及び音声信号の出力処理を遅らせる。これにより、時刻ｔ１ではなく、時刻ｔ３において映像表示及び音声出力が行われる。ただし、混合音声信号の送信処理は、遅延なく行われる。つまり、テレビ受像機３０は、映像表示及び音声出力の前に、混合音声信号をデジタルデバイス６０に送信する。
【００８２】
一方、デジタルデバイス６０においては、無線ＬＡＮモジュール６０１が、無線ＬＡＮルータ５０から混合音声信号を受信する。その後、マイク６１１が、テレビモニタ４０のスピーカから遅延して出力された音声を取得する。そして、遅延処理部６１２は、マイク６１１が取得した音声に基づいて、選択部６０４により選択された音声信号を遅延させる。
【００８３】
具体的には、デジタルデバイス６０が受信した混合音声信号に基づく音声を出力可能な時刻は、図１０上側に示すように時刻ｔ２以降である。これに対して、遅延処理部３１３が遅延させた音声は、時刻ｔ２よりも後の時刻ｔ３にスピーカから出力される。このため、遅延処理部６１２は、マイク６１１を用いて取得した音声信号と、Ｄ／Ａ変換部６０５から出力された音声信号と、が同期するように（位相が一致するように）、Ｄ／Ａ変換部６０５から出力された音声信号を遅延させる。なお、同期処理については、例えば、遅延処理部６１２が、２つの音声信号の波形を比較することにより、マイク６１１が取得した音声信号の遅延量を算出する。そして、遅延処理部６１２は、当該遅延量の時間だけ、Ｄ／Ａ変換部６０５から出力された音声信号を遅らせて、パワーアンプ６０６及びヘッドフォンアンプ６０８に出力することにより実現できる。
【００８４】
なお、テレビ受像機３０内での処理遅延量や、テレビ受像機３０からデジタルデバイス６０までの混合音声信号の伝送遅延量や、デジタルデバイス６０内部での処理遅延量は、あまり変動するものではないと想定される。そのため、テレビ受像機３０とデジタルデバイス６０との間で常時同期をとる必要はなく、定期的に同期をとればよい。また、一度同期をとったあとは、テレビモニタ４０のスピーカから出力される音声を消音することにより、各ユーザは、デジタルデバイス６０から出力される音声のみを視聴することができる。
【００８５】
以上のように、本実施の形態にかかる動画視聴システムの構成によれば、テレビ受像機３０において、遅延処理部３１３が、映像信号及び音声信号を遅延させる。そして、デジタルデバイス６０において、遅延処理部６１２が、マイク６１１により取得された音声信号に基づいて、デジタルデバイス６０から出力させる音声信号を遅延させる。これにより、テレビモニタ４０に表示される映像と、デジタルデバイス６０から出力される音声と、の同期をとることができる。その結果、ユーザは、違和感を覚えることなく、番組等を視聴することができる。
【００８６】
また、上記の説明においては、テレビ受像機３０及びデジタルデバイス６０の両方において遅延させていたが、これに限られるものではない。つまり、テレビ受像機３０からデジタルデバイス６０までの伝送遅延及びデジタルデバイス６０内部での音声処理遅延の時間（図１０のｔ２−ｔ１）が予め特定可能な場合には、遅延処理部３１３は、映像信号及び音声信号を、上記の伝送遅延及び音声処理遅延の分だけ遅延させればよい。つまり、遅延処理部３１３が、テレビ受像機３０とデジタルデバイス６０との間の通信遅延に基づいて、映像表示及び音声出力のタイミングを遅延させることにより、図１０上側において、テレビモニタ４０が映像を表示する時刻及びテレビモニタ４０のスピーカが音声を出力する時刻を、ｔ１からｔ２に遅らせる。これにより、時刻ｔ２において、テレビモニタ４０の映像と、デジタルデバイス６０から出力される音声と、を同期させることができる。
【００８７】
なお、本発明は上記実施の形態に限られたものではなく、趣旨を逸脱しない範囲で適宜変更及び組み合わせをすることが可能である。例えば、実施の形態２において、テレビ受像機３０と、デジタルデバイス６０Ａ、６０Ｂとが、無線ＬＡＮルータ５０を介して接続されていたが、テレビ受像機３０とデジタルデバイス６０Ａ、６０Ｂとが直接接続されてもよい。また、テレビ受像機３０が無線ＬＡＮルータ機能を備えていてもよい。
【００８８】
また、上述の動画視聴システムの任意の処理は、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８９】
また、コンピュータが上述の実施の形態の機能を実現するプログラムを実行することにより、上述の実施の形態の機能が実現される場合だけでなく、このプログラムが、コンピュータ上で稼動しているＯＳ（Operating System）もしくはアプリケーションソフトウェアと共同して、上述の実施の形態の機能を実現する場合も、本発明の実施の形態に含まれる。さらに、このプログラムの処理の全てもしくは一部がコンピュータに挿入された機能拡張ボードやコンピュータに接続された機能拡張ユニットによって行われて、上述の実施の形態の機能が実現される場合も、本発明の実施の形態に含まれる。
【符号の説明】
【００９０】
１、２  動画視聴システム
１０  電波塔
２０  アンテナ
３０  テレビ受像機
４０  テレビモニタ
５０  無線ＬＡＮルータ
６０  デジタルデバイス
１００  動画処理装置
１０１  動画データ取得部
１０２  表示制御部
１０３  音声送信部
２００  音声再生装置
２０１  音声受信部
２０２  選択部
２０３  音声出力部
３０１  ＲＦフロントエンド
３０２  ＯＦＤＭ復調部
３０３  分離部
３０４  映像デコード処理部
３０５  音声デコード処理部
３０６  プロトコル変換部
３０７  映像合成処理部
３０８  音声合成処理部
３０９  有線ＬＡＮコネクタ
３１０  無線ＬＡＮモジュール
３１１  表示制御部
３１２  音声制御部
３１３  遅延処理部
６０１  無線ＬＡＮモジュール
６０２  プロトコル変換部
６０３  分離部
６０４  選択部
６０５  Ｄ／Ａ変換部
６０６  パワーアンプ
６０７  スピーカ
６０８  ヘッドフォンアンプ
６０９  ヘッドフォン端子
６１０  同時通訳部
６１１  マイク
６１２  遅延処理部
【図１】
2015179953.tif 000003
【図２】
2015179953.tif 000004
【図３】
2015179953.tif 000005
【図４】
2015179953.tif 000006
【図５】
2015179953.tif 000007
【図６】
2015179953.tif 000008
【図７】
2015179953.tif 000009
【図８】
2015179953.tif 000010
【図９】
2015179953.tif 000011
【図１０】
2015179953.tif 000012
【図１１】
2015179953.tif 000013